(57)【要約】【課題】データのアップロードにかかるユーザの手間を省き、簡単かつ安全に行うデータ受信プログラムを提供する。【解決手段】可搬型記録媒体は、送信先情報と、端末装置通信ソフトウェアと、認証キー情報とを記録しており、端末装置はユーザからの操作に応じて、可搬型記録媒体から端末装置通信ソフトウェアを読み出して起動し、可搬型記録媒体に記録された送信先情報と認証キー情報とに基づいて、データ受信装置に接続して可搬型記録媒体内のデータを送信する手段を有し、データ受信装置は、端末装置から送信されたデータを受信し、受信したデータを記録する手段とを有する。【選択図】  図１
2004303167.tif 000002
【特許請求の範囲】
【請求項１】
可搬型記録媒体からデータを読み出してネットワークを介してデータ受信装置にデータを送信する端末装置と、該端末装置から送信されるデータを前記ネットワークを介して受信して記録するデータ受信装置とによって構成されるデータ送受信システムであって、
前記可搬型記録媒体は、前記データ受信装置を送信先として指定する情報である送信先情報と、前記端末装置と前記データ受信装置とが通信を行うソフトウェアである端末装置通信ソフトウェアと、前記端末装置と前記データ受信装置との間において認証を行うための認証キーとなる情報である認証キー情報と、を記録しており、
前記端末装置は、ユーザからの操作に応じて、前記可搬型記録媒体から端末装置通信ソフトウェアを読み出して起動し、前記可搬型記録媒体に記録された送信先情報と認証キー情報とに基づいて、前記データ受信装置に接続して前記可搬型記録媒体内のデータを送信する手段を有し、
前記データ受信装置は、前記端末装置から送信されたデータを受信し、受信したデータを記録する手段と、
を有することを特徴とするデータ送受信システム。
【請求項２】
前記データ受信装置は、前記送信先情報と前記端末装置通信ソフトウェアと認証キー情報とを前記可搬型記録媒体に記録するためのデータ書き込み手段を有することを特徴とする請求項１記載のデータ送受信システム。
【請求項３】
前記データ受信装置は、
前記可搬型記録媒体毎に異なる認証キー情報を生成する手段と、
生成された認証キー情報を前記データ受信装置内に記録する手段を有することを特徴とする請求項２記載のデータ送受信システム。
【請求項４】
前記認証キー情報の生成は、前記可搬型記録媒体に設定されている固有の識別番号に基づいて行われることを特徴とする請求項３記載のデータ送受信システム。
【請求項５】
前記データ受信装置が前記端末装置からデータを受信して記録した後に、前記端末装置側の前記可搬型記録媒体に記録されているデータと前記データ受信装置に記録されているデータとの照合を行う手段を有することを特徴とする請求項１から請求項４のうちいずれかに記載のデータ送受信システム。
【請求項６】
前記データ受信装置が受信したデータの照合を行った後に、前記端末装置が前記可搬型記録媒体に記録されている送信済みのデータを消去する手段を有することを特徴とする請求項１から請求項５のうちいずれかに記載のデータ送受信システム。
【請求項７】
前記データ受信装置において、前記端末装置から受信したデータと過去に記録されたデータとを比較し、
その比較結果に基づいて、受信したデータのうち前記データ受信装置に記録されていないデータについて記録する手段を有することを特徴とする請求項１から請求項６のうちいずれかに記載のデータ送受信システム。
【請求項８】
前記データ受信装置は、端末装置の動作環境に応じたクライアント通信ソフトウェアをあらかじめ複数記録し、その中から端末装置通信ソフトウェアを少なくとも１つ以上読み出して前記可搬型記録媒体に書き込むことを特徴とする請求項２から請求項７のうちいずれかに記載のデータ送受信システム。
【請求項９】
前記データ受信装置は、前記可搬型記録媒体にユーザを識別するユーザ識別情報を書き込む手段と、
前記端末装置から前記データを受信する際にユーザ識別情報を受信して、ユーザ識別情報に対応するユーザ毎に指定された記録領域にデータを記録することを特徴とする請求項１から請求項８のうちいずれかに記載のデータ送受信システム。
【請求項１０】
前記データ受信装置は、前記ユーザ識別情報を書き込む際に、前記データ受信装置を利用しているユーザに関する情報に基づいてユーザ識別情報を生成することを特徴とする請求項９記載のデータ送受信システム。
【請求項１１】
可搬型記録媒体からデータを読み出してネットワークを介してデータ受信装置にデータを送信する端末装置と、該端末装置から送信されるデータを前記ネットワークを介して受信するデータ受信装置とによって構成されるデータ送受信システムにおける可搬型記録媒体であって、
利用者が手動で行う操作によって起動される端末装置通信ソフトウェアと、
接続先データ受信装置を指定する送信先情報と、
前記送信先情報に基づいて、データ受信装置に接続するための認証キー情報と、
を有することを特徴とする可搬型記録媒体。
【請求項１２】
可搬型記録媒体からデータを読み出してネットワークを介してデータ受信装置にデータを送信する端末装置と、該端末装置から送信されるデータを前記ネットワークを介して受信するデータ受信装置とによって構成されるデータ送受信システムにおけるデータ受信装置であって、
前記可搬型記録媒体に、該データ受信装置自身を指定する送信先情報と、端末装置と該データ受信装置とが通信を行うプログラムである端末装置通信ソフトウェアと、端末装置と該データ受信装置との間において認証を行うための認証キーとなる情報である認証キー情報とを書き込む手段と、
前記可搬型記録媒体に書き込んだ情報に基づいて行われる接続を受認し、該可搬型記録媒体の中にあるデータを受信する手段と、記録する手段とを有することを特徴とするデータ受信装置。
【請求項１３】
可搬型記録媒体からデータを読み出してネットワークを介してデータ受信装置にデータを送信する端末装置と、該端末装置から送信されるデータを前記ネットワークを介して受信するデータ受信装置とによって構成されるデータ送受信システムにおける端末装置であって、
前記可搬型記録媒体から送信先情報と、端末装置通信ソフトウェアと、認証キー情報を読み出し、ユーザの指示に基づいて端末装置通信ソフトウェアを起動する手段と、
該端末装置通信ソフトウェアにしたがって可搬型記録媒体からデータを読み出し、接続したデータ受信装置にデータを送信する手段と
を有することを特徴とする端末装置。
【請求項１４】
可搬型記録媒体からデータを読み出してネットワークを介してデータ受信装置にデータを送信する端末装置と、該端末装置から送信されるデータを前記ネットワークを介して受信するデータ受信装置とによって構成されるデータ送受信システムに用いられるデータ送信方法であって、
端末装置は、ネットワークを介して前記端末装置から前記データ受信装置にデータを送信する場合に、該データ受信装置を送信先として指定する情報である送信先情報と、端末装置とデータ受信装置とが通信を行うプログラムである端末装置通信ソフトウェアと、端末装置とデータ受信装置との間において認証を行うための認証キーとなる情報である認証キー情報とが記録された可搬型記録媒体から、ユーザの指示に基づいて前記端末装置通信ソフトウェアを読み出して起動し、
前期可搬型記録媒体に記録された送信先情報に基づいて、認証キー情報をデータ受信装置に送信し、
送信した認証キー情報に基づいて前記データ受信装置において認証が成立した場合に、前記データ受信装置に記録するためのデータを可搬型記録媒体から読み出してデータ受信装置に送信し、
データ受信装置は、ユーザの指示に応じて端末装置から送信される認証キー情報を受信し、
受信した認証キー情報に基づいて端末装置の認証を行い、認証が成立した場合に端末装置から送信されたデータを受信して記録する、
ことを特徴とするデータ送信方法。
【発明の詳細な説明】
【０００１】
【発明の属する技術分野】
この発明は、可搬型記録媒体に記録されたユーザデータを端末装置からデータ受信装置に送信して記録しておくデータ送受信システム、可搬型記録媒体、データ受信装置、端末装置。データ送信方法に関するものである。
【０００２】
【従来の技術】
従来において、可搬型記録媒体（例えば、メモリカード）をネットワークに接続した読取装置（例えばカードリーダ）に挿入し、所定の受信装置を指定して可搬型記録媒体に記録されたデータを送信することが行われている。そのためには、ネットワークに接続したカードリーダを有する端末装置（クライアント）と、同じくネットワークに接続した記録媒体（ハードディスク、フレキシブルディスク、光磁気ディスク等）を有する受信装置（サーバ）が必要である。加えて、端末装置と受信装置間において、通信を行うためのソフトウェアと、送信先となる受信装置を指定するための送信先情報、端末装置と受信装置間の接続を許可する認証キーが必要であった。
【０００３】
また、上述の構成を利用してユーザデータを送信する作業を行う場合の手順は、以下のようにして行われていた。
１）端末のカードリーダにメモリカードを挿入する
２）端末の通信ソフトウェアを起動する
３）送信先サーバ情報に基づき、端末からデータ受信装置に接続する
４）端末からデータ受信装置に認証キー情報を送信して端末の認証をしてもらう
５）端末からデータ受信装置にデータを送信する
６）データ受信装置は、端末から受信したデータを記録媒体に保存する
【０００４】
このようにして、サーバにデータが送信される。前述したとおり、ここで必要なのが、端末（クライアント）、サーバというハードウェアに加え、通信を行うソフトウェア、送信先となる装置を指定する送信先情報、接続を許可する認証キー情報である。
【０００５】
また従来においては、リムーバブル・メディア（上述のメモリカードに相当）を手近なパーソナル・コンピュータに装填するだけでデータのアップロードが可能なシステムがある（例えば、特許文献１参照）。
【０００６】
【特許文献１】
特開２００２−３２３０２号公報
【０００７】
【発明が解決しようとする課題】
しかしながら、上述した従来技術においては、通信用のソフトウェアは端末を使用するユーザが用意しなければならず、ソフトウェアがインストールされていない端末では、データの送信ができなかった。また、送信先情報や認証キー情報は、予めユーザが知っていなければならず、忘れてしまった時や、わからない時には、やはりデータの送信ができない。
また、端末にソフトウェアがインストールされており、送信先情報と認証キー情報とがわかっていたとしても、ユーザは、ソフトウェアを起動させ、送信先情報と認証キー情報とを端末に入力しなければならないので、この入力作業において誤入力をしてしまうと、意図しないサーバにデータを送信してしまったり、認証を正常に行うことができずデータの送信ができなかったりするという問題が発生してしまう。
【０００８】
また、上述の特許文献１においては、装填を検知して自動的にアップロードを行っているので、いかなる時でもリムーバブル・メディアの情報がデータ受信装置に送信されてしまい、状況によっては不都合が生じる。すなわち、リムーバブル・メディアに記録されたユーザデータのうち、データ受信装置に送信したくないユーザデータまで自動的にデータ受信装置に送信されてしまうので、ユーザにとって不都合が生じる場合もある。
また、データ受信装置認証の処理が行われていないので、データ受信装置は、全てのアップロード要求を受け入れるか、特定のパーソナル・コンピュータからのアップロードしか受け入れられない。全てのアップロード要求を受け入れてしまうと、データ受信装置が、無用のアクセスを許可してしまうという問題点があり、特定のパーソナル・コンピュータからのアップロードしか受け入れられないとすると、ユーザの利便性を低下させてしまうという問題点がある。
【０００９】
本発明は、このような事情に鑑みてなされたもので、その目的は、データのアップロードにかかるユーザの手間を省き、簡単かつ安全に行うデータ送受信システム、可搬型記録媒体、データ受信装置、端末装置、データ送信方法を提供することにある。
【００１０】
【課題を解決するための手段】
上記目的を達成するために、本発明は、可搬型記録媒体からデータを読み出してネットワークを介してデータ受信装置にデータを送信する端末装置と、該端末装置から送信されるデータを前記ネットワークを介して受信して記録するデータ受信装置とによって構成されるデータ送受信システムであって、前記可搬型記録媒体は、前記データ受信装置を送信先として指定する情報である送信先情報と、前記端末装置と前記データ受信装置とが通信を行うソフトウェアである端末装置通信ソフトウェアと、前記端末装置と前記データ受信装置との間において認証を行うための認証キーとなる情報である認証キー情報と、を記録しており、前記端末装置は、ユーザからの操作に応じて、前記可搬型記録媒体から端末装置通信ソフトウェアを読み出して起動し、前記可搬型記録媒体に記録された送信先情報と認証キー情報とに基づいて、前記データ受信装置に接続して前記可搬型記録媒体内のデータを送信する手段を有し、前記データ受信装置は、前記端末装置から送信されたデータを受信し、受信したデータを記録する手段と、を有することを特徴とする。
【００１１】
また、本願発明は、上述のデータ送受信システムにおいて、前記データ受信装置は、前記送信先情報と前記端末装置通信ソフトウェアと認証キー情報とを前記可搬型記録媒体に記録するためのデータ書き込み手段を有することを特徴とする。
【００１２】
また、本願発明は、上述のデータ送受信システムにおいて、前記データ受信装置は、前記可搬型記録媒体毎に異なる認証キー情報を生成する手段と、生成された認証キー情報を前記データ受信装置内に記録する手段を有することを特徴とする。
【００１３】
また、本願発明は、上述のデータ送受信システムにおいて、前記認証キー情報の生成は、前記可搬型記録媒体に設定されている固有の識別番号に基づいて行われることを特徴とする。
【００１４】
また、本願発明は、上述のデータ送受信システムにおいて、前記データ受信装置が前記端末装置からデータを受信して記録した後に、前記端末装置側の前記可搬型記録媒体に記録されているデータと前記データ受信装置に記録されているデータとの照合を行う手段を有することを特徴とする。
【００１５】
また、本願発明は、上述のデータ送受信システムにおいて、前記データ受信装置が受信したデータの照合を行った後に、前記端末装置が前記可搬型記録媒体に記録されている送信済みのデータを消去する手段を有することを特徴とする。
【００１６】
また、本願発明は、上述のデータ送受信システムにおいて、前記データ受信装置において、前記端末装置から受信したデータと過去に記録されたデータとを比較し、その比較結果に基づいて、受信したデータのうち前記データ受信装置に記録されていないデータについて記録する手段を有することを特徴とする。
【００１７】
また、本願発明は、上述のデータ送受信システムにおいて、前記データ受信装置は、端末装置の動作環境に応じたクライアント通信ソフトウェアをあらかじめ複数記録し、その中から端末装置通信ソフトウェアを少なくとも１つ以上読み出して前記可搬型記録媒体に書き込むことを特徴とする。
【００１８】
また、本願発明は、上述のデータ送受信システムにおいて、前記データ受信装置は、前記可搬型記録媒体にユーザを識別するユーザ識別情報を書き込む手段と、前記端末装置から前記データを受信する際にユーザ識別情報を受信して、ユーザ識別情報に対応するユーザ毎に指定された記録領域にデータを記録することを特徴とする。
【００１９】
また、本願発明は、上述のデータ送受信システムにおいて、前記データ受信装置は、前記ユーザ識別情報を書き込む際に、前記データ受信装置を利用しているユーザに関する情報に基づいてユーザ識別情報を生成することを特徴とする。
【００２０】
また、本願発明は、可搬型記録媒体からデータを読み出してネットワークを介してデータ受信装置にデータを送信する端末装置と、該端末装置から送信されるデータを前記ネットワークを介して受信するデータ受信装置とによって構成されるデータ送受信システムにおける可搬型記録媒体であって、利用者が手動で行う操作によって起動される端末装置通信ソフトウェアと、接続先データ受信装置を指定する送信先情報と、前記送信先情報に基づいて、データ受信装置に接続するための認証キー情報と、を有することを特徴とする。
【００２１】
また、本願発明は、可搬型記録媒体からデータを読み出してネットワークを介してデータ受信装置にデータを送信する端末装置と、該端末装置から送信されるデータを前記ネットワークを介して受信するデータ受信装置とによって構成されるデータ送受信システムにおけるデータ受信装置であって、前記可搬型記録媒体に、該データ受信装置自身を指定する送信先情報と、端末装置と該データ受信装置とが通信を行うプログラムである端末装置通信ソフトウェアと、端末装置と該データ受信装置との間において認証を行うための認証キーとなる情報である認証キー情報とを書き込む手段と、前記可搬型記録媒体に書き込んだ情報に基づいて行われる接続を受認し、該可搬型記録媒体の中にあるデータを受信する手段と、記録する手段とを有することを特徴とする。
【００２２】
また、本願発明は、可搬型記録媒体からデータを読み出してネットワークを介してデータ受信装置にデータを送信する端末装置と、該端末装置から送信されるデータを前記ネットワークを介して受信するデータ受信装置とによって構成されるデータ送受信システムにおける端末装置であって、前記可搬型記録媒体から送信先情報と、端末装置通信ソフトウェアと、認証キー情報を読み出し、ユーザの指示に基づいて端末装置通信ソフトウェアを起動する手段と、  該端末装置通信ソフトウェアにしたがって可搬型記録媒体からデータを読み出し、接続したデータ受信装置にデータを送信する手段と、を有することを特徴とする。
【００２３】
また、本願発明は、可搬型記録媒体からデータを読み出してネットワークを介してデータ受信装置にデータを送信する端末装置と、該端末装置から送信されるデータを前記ネットワークを介して受信するデータ受信装置とによって構成されるデータ送受信システムに用いられるデータ送信方法であって、端末装置は、ネットワークを介して前記端末装置から前記データ受信装置にデータを送信する場合に、該データ受信装置を送信先として指定する情報である送信先情報と、端末装置とデータ受信装置とが通信を行うプログラムである端末装置通信ソフトウェアと、端末装置とデータ受信装置との間において認証を行うための認証キーとなる情報である認証キー情報とが記録された可搬型記録媒体から、ユーザの指示に基づいて前記端末装置通信ソフトウェアを読み出して起動し、前期可搬型記録媒体に記録された送信先情報に基づいて、認証キー情報をデータ受信装置に送信し、送信した認証キー情報に基づいて前記データ受信装置において認証が成立した場合に、前記データ受信装置に記録するためのデータを可搬型記録媒体から読み出してデータ受信装置に送信し、データ受信装置は、ユーザの指示に応じて端末装置から送信される認証キー情報を受信し、受信した認証キー情報に基づいて端末装置の認証を行い、認証が成立した場合に端末装置から送信されたデータを受信して記録することを特徴とする。
【００２４】
【発明の実施の形態】
以下、本発明の一実施形態によるデータ送受信システムを図面を参照して説明する。図１は、この発明の一実施形態によるデータ送受信システムの構成を示す概略ブロック図である。
この図において、データ送受信システムは、可搬型記録媒体の一例としてのメモリカード１と、ネットワーク２と、端末装置３と、データ受信装置４とによって構成される。
メモリカード１は、各種情報を記録可能な可搬型記録媒体である。このメモリカードに記録される情報の一例を図２に示す。この図２に示すように、メモリカード１には、システムエリアとユーザエリアとが設けられている。
システムエリアには、認証キー情報と、上述の送信先情報の一例となる送信先データ受信装置情報と、上述の端末装置通信ソフトウェアの一例となるクライアント通信ソフトウェアとが記録される。
認証キー情報は、端末装置３とデータ受信装置４との間において認証を行うための認証キーとなる情報である。この認証キー情報の一例としては、パスワードや共通鍵などがあげられる。
【００２５】
送信先データ受信装置情報は、ネットワーク２を介して端末装置３からデータ受信装置４にユーザデータを送信する場合に、データ受信装置４を送信先として指定する情報である。この送信先データ受信装置情報は、例えば、ＩＰアドレスや、ドメイン名（ｘｘｘ＠ａｂｃ．ｃｏ．ｊｐ）、ＵＲＬ（Ｕｎｉｆｏｒｍ  Ｒｅｓｏｕｒｃｅ  Ｌｏｃａｔｏｒ）等があげられる。
クライアント通信ソフトウェアは、端末装置３において動作することにより、データ受信装置に接続する機能、データ受信装置において認証を行うための機能、ユーザデータを送信するための機能、を実現する通信ソフトウェアであり、端末装置３とデータ受信装置４との通信を行う。
【００２６】
ユーザエリアは、メモリカード１のシステムエリア以外の記録領域が割り当てられており、ユーザが任意に使用することができる記録領域である。このユーザエリアに記録されるデータがユーザデータであり、データ受信装置４に送信して記録するためのデータとなる。このユーザデータは、例えば、デジタルカメラの撮影データ、ボイスレコーダの音声データなどであって、この実施形態においては、デジタルカメラで撮影した画像データがユーザデータとしてユーザエリアに記録されるものとする。
【００２７】
ここでは、可搬型記録媒体の一例として、メモリカード１を適用して説明しているが、可搬型記録媒体は、データの書き込みおよび読み出しが可能な記録媒体であればよく、例えば、メモリカード１以外に、フレキシブルディスク、光磁気ディスク、ＣＤ（コンパクトディスク）等であってもよい。
また、システムデータは、デジタルカメラやボイスレコーダを利用して、ユーザデータをメモリカード１に記録および消去するにあたり、それらの機器の使用に影響を与えるものではない。
【００２８】
次に、図１における端末装置３について説明する。この端末装置３は、例えば、デスクトップ型あるいはノート型、ポケット型のコンピュータや、ＰＤＡ（Ｐｅｒｓｏｎａｌ  Ｄｉｇｉｔａｌ  Ａｓｓｉｓｔａｎｔ）、携帯電話などによって構成される。カードリーダライタ３１は、メモリカード１から各種データの読み出しと書き込みを行う。
制御部３２は、メモリカード１に記録されたクライアント通信ソフトウェアを所定のメモリに読み出して実行し、端末装置３の各部の制御を行う。
また、制御部３２は、マウスやキーボードなどの入力装置を介してユーザから入力される指示に基づいて、メモリカード１からクライアント通信ソフトウェアを読み出して起動し、実行する機能を有する。
また、制御部３２は、ネットワーク通信部３３によって、ユーザデータの送信が完了した場合に、メモリカード１に記録されたユーザデータをカードリーダライタ３１によって消去する機能を有する。
また、制御部３２は、ＣＰＵ（中央処理装置）、メモリなどの組み合わせによって構成され、端末装置のハードウェア上でクライアント通信ソフトウェアを動作させるために必要な資源となる。この制御部３２は、ハードウェア構成によって異なるが、メモリカードスロットに小規模のＣＰＵとＬＡＮ（ローカルエリアネットワーク）カードとを組み合わせた構成によって実現することも可能である。
【００２９】
ネットワーク通信部３３は、ネットワーク２を介してデータ受信装置４と通信を行う。このネットワーク２を介して行われる通信は、有線あるいは無線ＬＡＮ、ダイヤルアップ等によって行われる。
また、ネットワーク通信部３３は、送信先データ受信装置情報に基づいて、認証キー情報をデータ受信装置４に送信する機能を有する。
また、ネットワーク通信部３３は、送信した認証キー情報に基づいて、データ受信装置４において認証が成立した場合に、データ受信装置に記録するためのユーザデータをカードリーダライタ３１によってメモリカード１から読み出してデータ受信装置４に送信する機能を有する。
【００３０】
次に、データ受信装置４について説明する。このデータ受信装置４は、例えば、デスクトップ型あるいはノート型のコンピュータ、ホームステーション、ネットワークストレージなどである。
ネットワーク通信部４１は、ネットワーク２を介して端末装置３と通信を行う。
また、ネットワーク通信部４１は、端末装置３のネットワーク通信部３３から送信される認証キー情報を受信する。
記録部４２は、端末装置３から受信したユーザデータを記録するためのユーザデータ記録領域と、発行された認証キー情報を記録する認証キー情報記録領域とを有する。
この記録部４２は、データ受信装置４に内蔵する以外に外部に接続するようにしてもよく、例えば、ハードディスク、ＣＤ−Ｒ、ＤＶＤ−Ｒ（書き換え可能なＤｉｇｉｔａｌ  Ｖｅｒｓａｔｉｌｅ  Ｄｉｓｋ）、光磁気ディスクなどの記録媒体によって構成され、制御部４３からの指示に基づいて、データの読み出しや書き込みが可能に構成される。
【００３１】
制御部４３は、サーバ通信ソフトウェアが起動した状態になっており、ネットワーク通信部４１を介して端末装置３からの接続要求を待ち受けする。このサーバ通信ソフトウェアと端末装置３において起動されるクライアント通信ソフトウェアとは、通信を確立して相互に連携してデータを送受信するための機能を有している。
また、制御部４３は、ネットワーク通信部４１によって受信された認証キー情報に基づいて端末装置３の認証を行い、認証が成立した場合に端末装置３から送信されるユーザデータをネットワーク通信部４１によって受信して記録部４２に記録する。
また、制御部４３は、認証キー情報に基づいて認証を行う機能を有する。
この制御部４３は、ＣＰＵ、メモリなどが組み合わされて構成され、データ受信装置４上でサーバ通信ソフトウェアを動作させるための資源となる。
【００３２】
次に、図１の構成におけるデータ送受信システムの動作について図３のフローチャートと図４のシーケンス図を用いて説明する。
まず、データ受信装置４の制御部４３は、サーバ通信ソフトウェアを起動した状態においてネットワーク通信部４１を介して通信の接続を待ち受けする（図３ステップＳ２０１、図４ステップＳ４０１）。
【００３３】
一方、端末装置３は、ユーザによってメモリカード１がカードリーダライタ３１に挿入された後、入力装置を介してユーザからクライアント通信ソフトウェアの起動の指示が入力されると、制御部３２は、カードリーダライタ３１に挿入されたメモリカード１からクライアント通信ソフトウェアを読み出して起動するとともに、メモリカード１から送信先データ受信装置情報を読み出して（図３ステップＳ１０１、図４ステップＳ３０１）、送信先データ受信装置情報に基づいて、データ受信装置４に接続要求を送信する（図３ステップＳ１０２、図４ステップＳ３０２）。
【００３４】
データ受信装置４の制御部４３は、ネットワーク通信部４１によって接続要求を受信すると、端末装置３に対し、認証キー情報の送信要求をする（図３ステップＳ２０３、ステップＳ４０３）。端末装置３の制御部３２は、認証キー情報の要求を受信すると（図３ステップＳ１０３）、メモリカード１から認証キー情報を読み出し（図３ステップＳ１０４）、データ受信装置４に認証キー情報を送信する（図３ステップＳ１０５、図４ステップＳ３０５）。
データ受信装置４の制御部４３は、ネットワーク通信部４１によって認証キー情報を受信し（図３ステップＳ２０４）、受信した認証キー情報と記録部４２に記録された情報とを、照合して認証を行う（図３ステップＳ２０５、図４ステップＳ４０５）。そして、制御部４３は、認証キー情報の照合結果をネットワーク通信部４１によって端末装置３に送信する（図３ステップＳ２０６）。そして、制御部４３は、照合結果が一致しない場合すなわち認証が成立しない場合、ステップＳ２０１に移行して接続要求を待ち受けし、照合結果が一致する場合すなわち認証が成立する場合、端末装置３との通信を確立して、ユーザデータの受信を待機する。
【００３５】
端末装置３の制御部３２は、データ受信装置４から送信される認証キー情報の照合結果をネットワーク通信部３３によって受信し（図３ステップＳ１０６）、照合結果が一致しているか（認証が成立しているか）否かを検出する（図３ステップＳ１０７）。照合結果が一致していない場合は、クライアント通信ソフトウェアを終了する。
一方、照合結果が一致している場合すなわち、認証が成立した場合、制御部３２は、メモリカード１からユーザデータ（画像データ）を読み出して、データ受信装置４に送信する（図３ステップＳ１０８、図４ステップＳ３０８）。
【００３６】
データ受信装置４の制御部４３は、端末装置３から送信されるユーザデータをネットワーク通信部４１によって受信し（図３ステップＳ２０８、図４ステップＳ４０８）、受信したユーザデータを順次ユーザデータ記録領域に記録する。そして、制御部４３は、ユーザデータの受信が完了した後に（図３ステップＳ２０９、図４ステップＳ４０９）、接続を要求の待ち受けをする（図３ステップＳ２０１、図４ステップＳ４０１）。
【００３７】
端末装置３の制御部３２は、全てのユーザデータの送信が完了すると（図３ステップＳ１０９、図４ステップＳ３０９）、クライアント通信ソフトウェアを終了する（図４ステップＳ３１０）。
【００３８】
以上説明した実施形態によれば、メモリカード１がカードリーダライタ３１に挿入されて、ユーザからクライアント通信ソフトウェアの起動の指示が入力された場合に、メモリカード１内に記録されたクライアント通信ソフトウェアを起動して、メモリカード１内に記録された認証キー情報を利用して認証を行った後にデータ受信装置４へユーザデータのアップロード処理が自動的に行われる。従って、ユーザは、クライアント通信ソフトウェアを端末装置３に積極的に準備する必要が無く、また、送信先データ受信装置情報の入力をする必要もないので、データのアップロードにかかる手間を省くことができるとともに、メモリカード１に記録されたユーザデータをアップロードするか否かの意志を反映させてアップロードすることができ、これにより、安全かつ簡単にアップロードをすることができる。また、メモリカードを所持し、アップロードする場合にクライアント通信ソフトウェアを起動する指示を入力するだけでよいので、ユーザの利便性が向上させることができる。
また、データ受信装置４において、認証キー情報を用いて認証を行ってアップロードの許可をするようにしたので、不正な第三者からのアップロードを制限することができ、セキュリティを確保することができる。
【００３９】
なお、上述した実施形態において、クライアント通信ソフトウェアとサーバ通信ソフトウェアは、上述以外の機能を付加するようにしてもよい。例えば、これらのソフトウェアがネットワーク対応型のソフトウェアである場合、自宅でデータをメモリカードから、ユーザが有するコンピュータのハードディスクにコピーするのと同じＧＵＩ（Ｇｒａｐｈｉｃａｌ  Ｕｓｅｒ  Ｉｎｔｅｒｆａｃｅ）を用いてネットワークを介したデータのアップロードを行うようにしてもよい。
【００４０】
次に、第２の実施形態について説明する。この実施形態においては、データ受信装置４によって、メモリカード１に認証キー情報、送信先データ受信装置情報、クライアント通信ソフトウェアを記録する場合について説明する。
図５は、第２の実施形態におけるデータ送受信システムの構成について説明するための概略ブロック図である。この図において、図１の各部に対応する部分に同一の符号を付け、その説明を省略する。
【００４１】
記録部４２は、認証キー情報毎にフォルダ（ディレクトリ）を分けてユーザデータをユーザデータ記録領域に記録する。
【００４２】
また、記憶部４２は、端末装置３の動作環境に応じたクライアント通信ソフトウェアを複数種類記録する。ここでいう動作環境としては、端末装置３において利用されることが予想される各種ＯＳ（Ｏｐｅｒａｔｉｎｇ  Ｓｙｓｔｅｍ）が記録される。
制御部４３は、端末装置３との通信を行う場合に端末装置３から送信される認証キー情報と記録部４２に記録された認証キー情報とに基づいて認証を行う機能を有する。
また、制御部３２は、メモリカード１毎に異なる認証キー情報を生成する機能を有する。
【００４３】
また、制御部４３は、生成した認証キー情報を記録部４２に記録させるとともに、データ受信装置４自身に設定されている送信先データ受信装置情報とクライアント通信ソフトウェアと認証キー情報とをカードリーダライタ４４によってメモリカード１に記録する。
【００４４】
また、制御部４３は、生成した認証キー情報をカードリーダライタ４４によってメモリカード１に書き込む機能と、認証キー情報を利用した端末装置３の認証が成立した場合に端末装置３からのユーザデータの受信する機能と、ユーザデータを記録部４２に記録する機能とを有する。
カードリーダライタ４４は、制御部４３からの指示に基づいて、各種データをメモリカード１に書き込む。
【００４５】
次に、この実施形態におけるデータ送受信システムの動作について説明する。まず、ユーザによってデータ受信装置４のカードリーダライタ４４にメモリカード１が挿入され、マウスやキーボードなど入力装置を介して制御部４３にメモリカード登録指示が入力されると、制御部４３は、メモリカード１固有の認証キー情報を生成してカードリーダライタ４４を介してメモリカード１に記録するとともに、生成した認証キー情報を記録部４２に記録する。
次いで、制御部４３は、記録部４２に記録されている複数のクライアント通信ソフトウェアを読み出してカードリーダライタ４４を介してメモリカード１に記録する。そして、制御部４３は、制御部４３の所定のメモリ内に記録されているデータ受信装置４自身の送信先データ受信装置情報を読み出してカードリーダライタ４４を介してメモリカード１に記録する。
【００４６】
このようにして、認証キー情報、送信先データ受信装置情報、クライアント通信ソフトウェアが記録されたメモリカード１をユーザはデジタルカメラで利用する。その結果、デジタルカメラで撮影した画像データがユーザデータとしてメモリカード１のユーザエリアに記録される。そして、ユーザは、メモリカード１内のユーザデータをデータ受信装置４に送信して記録する場合、端末装置３のカードリーダライタ４４にメモリカード１を挿入し、メモリカード１に記録された複数のクライアント通信ソフトウェアのうち、現在利用している端末装置３において利用可能なクライアント通信ソフトウェアを選択して起動の指示をする。
端末装置３の制御部３２は、クライアント通信ソフトウェアの起動指示が入力されると、メモリカード１に記録されたクライアント通信ソフトウェアのうち、起動が指示されたクライアント通信ソフトウェアを読み出して起動するとともに、データ受信装置４からの認証キー情報の送信要求を受信した後に、メモリカード１から認証キー情報を読み出してデータ受信装置４に送信する。
【００４７】
データ受信装置４の制御部４３は、端末装置３から送信される認証キー情報を受信した後、受信した認証キー情報が記録部４２に登録されているか否かの照合を行うことによって認証する。そして、制御部４３は、認証が成立した場合に、端末装置３からのユーザデータの受信を許可し、端末装置３から送信されるユーザデータを、記録部４２の認証キー情報に該当するフォルダ内に記録する。この認証キー情報に該当するフォルダ内に記録する一例が図６に示されている。この図６に示すように、認証キー情報に応じたフォルダを、メモリカード１の認証キー情報を発行する際に記録部４２に設けておくことにより、ユーザデータを受信した場合に、認証キー情報に該当するフォルダ内に記録される。
【００４８】
以上説明した実施形態によれば、認証キー情報を発行する際に、メモリカード１毎に異なる認証キー情報を割り当てるとともに、記録部４２に認証キー情報に該当するフォルダを生成するようにしたので、端末装置３からの接続が確立した場合にどのメモリカード１からユーザデータが送信されてくるかを認証キー情報に基づいて判別することができる。
【００４９】
これにより、認証キー情報をデータ受信装置４の鍵として利用することに加えて、メモリカード１を識別するための情報としても利用することができ、従って、この認証キー情報に基づいて、メモリカード１毎にフォルダに分けてユーザデータを記録部４２に記録することができる。すなわち、メモリカード１毎にフォルダに分別された記録されているので、ユーザにとって、記録されたユーザデータの管理を簡単に行うことができる。
【００５０】
また、上述した実施形態においては、記録部４２に複数種類のクライアント通信ソフトウェアを記録しておき、これら複数のクライアント通信ソフトウェアをメモリカード１に記録するようにしたので、例えば、外出先などにおいてメモリカード１を挿入する端末装置３のＯＳに応じたクライアント通信ソフトウェアをメモリカード１から読み出して実行することが可能であり、これにより、ユーザは、端末装置３のＯＳを考慮することなくユーザデータのアップロードを行うことができる。
なお、上述の実施形態においては、起動させるクライアント通信ソフトウェアをユーザが選択する場合について説明したが、ユーザから起動指示を受けた場合に、端末装置３の制御部３２が、クライアント通信ソフトウェアを選択するようにしてもよい。
また、記録部４２からクライアント通信ソフトウェアを読み出してメモリカード１に記録する場合に、記録部４２から少なくとも１つ以上読み出してメモリカード１に書き込むようにしてもよい。これにより、記録部４２に記録されたクライアント通信ソフトウェアの全ての種類についてメモリカード１のシステムエリアに記録するのではなく、必要となるいくつかのみを選択的にメモリカード１に記録することができるので、システムエリアの記録領域が拡大してしまい、ユーザエリアが減少してしまうことを防止することができる。
【００５１】
次に、第３の実施形態について説明する。この実施形態においては、複製されたメモリカード１のデータを記録部４２に記録することを拒否する管理を行う場合について説明する。
第３の実施形態におけるデータ送受信システムは、図５に示す第２の実施形態におけるデータ送受信システムの構成と同様であるが、その機能が異なるので、その相違点について説明する。
この実施形態においては、メモリカード１には、予め各メモリカードを識別するための識別番号が付与されているものとする。
制御部４３は、メモリカード１に設定されている識別番号をカードリーダライタ４４を介して読み出し、読み出した識別番号を利用して認証キー情報を生成する機能を有する。
【００５２】
端末装置３において、制御部３２は、カードリーダライタ４４に挿入されたメモリカード１の識別番号が認証キー情報と関連づけされているか否かを検出し、識別番号と認証キー情報が関連づけされている場合に、データ受信装置４に対して認証キー情報を送信する。この識別番号と認証キー情報が関連づけされているか否かを検出する処理は、予めクライアント通信ソフトウェアに組み込まれている。
また、認証キー情報と関連づけされているか否かについては、例えば、識別番号が認証キー情報に含まれているか否か、識別番号から認証キー情報を計算することができるか否か、認証キー情報から識別番号を計算することができるか否か、識別番号と認証キー情報とを用いて所定の演算を行うことにより、認証が成立するか否かを計算することができるか否かを検出することにより行われる。
【００５３】
次に、第３の実施形態におけるデータ送受信システムの動作について図７を用いて説明する。ここでは、認証キー情報と関連づけされているか否かについて、識別番号が認証キー情報に含まれているか否かを検出する場合について説明する。
ユーザによってデータ受信装置４のカードリーダライタ４４にメモリカード１が挿入され、マウスやキーボードなど入力装置を介して制御部４３にメモリカード登録指示が入力されると、制御部４３は、カードリーダライタ４４を介してメモリカード１の識別番号を読み出し、識別番号を利用して固有の認証キー情報を生成してメモリカード１に記録するとともに、生成した認証キー情報を記録部４２に記録する。認証キー情報が記録されると、制御部４３によって、クライアント通信ソフトウェアと送信先データ受信装置情報とをメモリカード１に記録する。
【００５４】
そして、登録処理が行われたメモリカード１がユーザによってカードリーダライタ３１に挿入され、通信ソフトウェアの起動が指示されると、制御部３２は、メモリカード１に記録された通信ソフトウェアを読み出して起動した後、カードリーダライタ４４に挿入されたメモリカード１の識別番号が認証キー情報に含まれているか否かを検出し、識別番号が認証キー情報に含まれている場合に（符号（ａ））、データ受信装置４に対して認証キー情報を送信して認証を行ってもらった後に、データ受信装置４との接続を確立する（符号（ｂ））。
一方、識別番号が認証キー情報に含まれていない場合（符号（ｃ））、制御部３２は、データ受信装置４に対する接続を行わない（符号（ｄ））。
【００５５】
以上説明した第３の実施形態によれば、データ受信装置４において識別番号を利用して認証キー情報を生成し、端末装置３において識別番号が認証キー情報に含まれているか否かを検出するようにした。すなわち、図７にしめすように、悪意ある第三者により、メモリカード１ａに記録された情報がメモリカード１ｂに不正にコピー（符号（ｅ））され、データ受信装置４に不正にアクセスしようとした場合においても、端末装置３の制御部３２によって、メモリカード１ｂの識別番号が認証キー情報に含まれているか否かを検出するようにしたので、不正な認証キー情報としてデータ受信装置４に対する接続が端末装置３において中断され、これにより、データ受信装置４に対する不正なアクセスを排除することができる。
【００５６】
次に、第４の実施形態におけるデータ送受信システムについて説明する。この第４の実施形態におけるデータ送受信システムの構成は、図５に示す第２の実施形態におけるデータ送受信システムと同様であるが、その機能が異なるので、その相違点について説明する。
データ受信装置４の制御部４３は、データ受信装置４が端末装置３からユーザデータを受信して記録部４２に記録した後に、端末装置２側のメモリカード１に記録されているユーザデータと記録部４２に記録されているユーザデータとの照合を行い、照合結果をネットワーク通信部４１によって端末装置３に送信する（上述の照合ステップに相当）。
また、制御部４３は、照合結果において、一致していなければ、再度端末装置３からユーザデータを送信してもらい、記録部４２に記録し、ユーザデータの照合を行う。
【００５７】
端末装置３において、制御部３２は、データ受信装置４の制御部４３から送信された照合結果が「一致」を示している場合、メモリカード１に記録されたユーザデータを消去する。
【００５８】
この第４の実施形態によれば、メモリカード１に記録されたユーザデータとデータ受信装置４にアップロードされたユーザデータとを比較し、一致する場合にメモリカード１に記録されたユーザデータを消去するようにしたので、ユーザデータがデータ受信装置４に正常にアップロードされたか否かを確認することができ、ユーザにとって、ユーザデータのアップロードの失敗を防止することができる。また、アップロードが終了したユーザデータについては、メモリカード１から自動的に消去されるので、ユーザは、メモリカード１のユーザエリアを再利用することができる。
【００５９】
なお、上述した第４の実施形態において、ユーザデータを比較する方法の一例としては、以下に示す方法があげられる。
１）端末装置３からすべてのユーザデータを再度データ受信装置４に送信してもらい、記録部４２に記録されたユーザデータと再送されたユーザデータとを１ビットずつ比較する。
２）データの一部をピックアップし、メモリカード１に記録されたユーザデータと、記録部４２に記録されたユーザデータとを部分的に比較する。この比較は、複数箇所について行ってもよい。
３）メモリカード１に記録されたユーザデータのファイルサイズと記録部４２に記録されたユーザデータのファイルサイズとを比較する。
４）ＣＲＣ（Ｃｙｃｌｉｃ  Ｒｅｄｕｎｄａｎｃｙ  Ｃｈｅｃｋ）方式を利用して、メモリカード１に記録されたユーザデータと記録部４２に記録されたユーザデータとを比較する。
【００６０】
次に、第５の実施形態におけるデータ送受信システムについて説明する。この第５の実施形態におけるデータ送受信システムの構成は、図５に示す第２の実施形態におけるデータ送受信システムと同様であるが、その機能が異なるので、その相違点について説明する。
データ受信装置４の制御部４３は、端末装置３から受信したユーザデータと記録部４２に記録されたユーザデータとを比較し、比較結果に基づいて、受信したユーザデータのうち記録部４２に記録されていないユーザデータについて記録部４２に記録する。
これにより、メモリカード１のユーザデータのアップロードが２度行われた場合においても、ユーザデータが２重に記録部４２に記録されることを防止することができ、記録部４２の記録領域を効率的に利用することができる。
【００６１】
次に、第６の実施形態におけるデータ送受信システムについて説明する。第６の実施形態におけるデータ送受信システムは、図５に示す第２の実施形態におけるデータ送受信システムの構成と同様であるが、その機能が異なるので、その相違点について説明する。
【００６２】
端末装置３のネットワーク通信部３３は、カードリーダライタ４４に挿入されたメモリカード１に記録されたユーザ識別情報をデータ受信装置４に送信する。
【００６３】
データ受信装置４の制御部４３は、認証キー情報、送信先データ受信装置情報、クライアント通信ソフトウェアをメモリカード１に書き込みする際にユーザを識別する情報であるユーザ識別情報を生成してメモリカード１に書き込む機能を有する。
また、制御部４３は、メモリカード１の登録処理をデータ受信装置４に指示したユーザに関する情報に基づいて、ユーザに関する情報であるユーザ識別情報を生成する機能を有する。
このユーザ識別情報は、データ受信装置４にメモリカード１の登録処理を指示したユーザのログイン情報や、個人情報などを端末装置３から受信し、受信した情報に基づいて生成される。
【００６４】
ネットワーク通信部４１は、端末装置３からユーザデータを受信する際にメモリカード１から読み出されて端末装置３から送信されるユーザ識別情報を受信する機能を有する。
制御部４３は、ネットワーク通信部４１によって受信したユーザデータについて、ユーザ識別情報に対応する、ユーザ毎に指定された記録部４２の所定の記録領域にユーザデータを記録する。
また、制御部４３は、メモリカード１にユーザ識別情報が書き込まれた場合に、このユーザ識別情報に対応するフォルダをユーザ毎に記録部４２に作成する。ここでいうフォルダは、例えば、マイドキュメントフォルダやホームディレクトリなどがある。
【００６５】
次に、第６の実施形態におけるデータ送受信システムの動作について説明する。
メモリカード１がカードリーダライタ４４に挿入され、メモリカード１の登録処理がユーザによって指示されると、制御部４３は、ユーザに関する情報を入力するようにユーザに要求する画面を出力し、この入力要求に応じてユーザから入力されるユーザに関する情報に基づいて、ユーザ識別情報を生成して、メモリカード１のシステムエリア内に記録する。そして、制御部４３は、認証キー情報、送信先データ受信装置情報、クライアント通信ソフトウェアを順次メモリカード１に記録する（図８）。次いで、制御部４３は、生成されたユーザ識別情報に対応するユーザデータの記録領域となるフォルダを記録部４２内に作成する。
【００６６】
次に、メモリカード１が端末装置３に挿入され、端末装置３とデータ受信装置４との通信が確立した後、ネットワーク通信部３３は、制御部３２からの指示に基づいて、メモリカード１からユーザ識別情報を読み出してデータ受信装置４に送信する。
データ受信装置４の制御部３２は、ネットワーク通信部４１によってユーザ識別情報を受信した後、受信したユーザ識別情報に対応するフォルダが存在するか否かを記録部４２を参照して検出する。ユーザ識別情報に対応するフォルダが存在する場合、制御部４３は、該フォルダ内に端末装置３から送信されるユーザデータを記録する。
【００６７】
ここで、ユーザ識別情報に対応するフォルダに記録する場合、例えば、図９に示すように、ユーザ識別情報とユーザデータを格納する格納位置（ＵＲＬ等）を対応付けて記録するテーブル（符号（ａ））を記録部４２内に設けておき、制御部４３が、端末装置３から送信されたユーザ識別情報に基づいてテーブル（符号（ａ））を参照し、対応する記録部４２の格納位置を検出し、検出した格納位置に応じた格納領域にユーザデータを記録する。
【００６８】
以上説明した第６の実施形態によれば、複数のユーザがデータ受信装置４にアップロードしても各ユーザデータは、独立に扱われるので、誤って他のユーザによってデータが上書きされたりすることを防止することができる。また、ユーザ毎に記録部４２に記録されたユーザデータの閲覧を制限することも可能である。
【００６９】
なお、以上説明した実施形態においては、カードリーダライタ３１が端末装置３の内部に設けられている場合について説明したが、カードリーダライタ３１は、端末装置３の外部に接続されるようにしてもよい。なお、この場合、端末装置３に対して、メモリカード１が装填されたデジタルカメラやボイスレコーダなどがＵＳＢ（Ｕｎｉｖｅｒｓａｌ  Ｓｅｒｉａｌ  Ｂｕｓ）ケーブル等を利用して接続することにより、実現することが可能である。
【００７０】
以上説明した第１から第６の実施形態を利用する一例について説明する。
ここでは、デジタルカメラを使用して、撮影した写真の画像データを自宅のコンピュータに保存する場合について説明する。ユーザは、外出先でデジタルカメラを利用して撮影し、画像データをメモリカード１に記録する。そして、自宅に帰宅した後で、メモリカード１を自宅のコンピュータのメモリカードスロットに挿入し、ユーザデータをコンピュータのハードディスクにコピーして、印刷、閲覧などに利用することが可能である。
【００７１】
ところで、ユーザが外出先で大量に撮影をし、メモリカード１のユーザエリアに空きがなくなってしまった場合、ネットワークを介して自宅のコンピュータにユーザデータを送信し、メモリカードを再利用する必要がある場合、外出先のコンピュータを利用して自宅のコンピュータあてにユーザデータを送信する作業は、送信先データ受信装置情報の設定などが煩雑であるため、簡単に送信することができない。
【００７２】
そこで、上述の第１から第６の実施形態におけるデータ送受信システムを利用することにより、例えば、外出先のネットカフェで、ネットワークに繋がったカードスロットにメモリカード１を挿入し、メモリカード１内のクライアント通信ソフトウェアを起動し、認証キー情報を利用して自宅のコンピュータに対して認証を行うことにより、ユーザデータを自宅のコンピュータにアップロードすることが可能となる。これにより、ネットワークに関する複雑な設定を行う必要が無く、あたかも自宅のコンピュータのカードスロットのように外出先のカードスロットとコンピュータを利用することができる。また、メモリカード１に、複数のクライアント通信ソフトウェアを記録しておくことにより、外出先のコンピュータのハードウェア、ＯＳ、システムに依存することなくアップロードが可能である。
【００７３】
上述したように、従来技術におけるメモリカードのデータをサーバ等にアップロードするためには、ユーザが必要なソフトウェアや情報を整備した上でアップロード作業を行う必要があった。また、クライアントの環境が変化する毎にそれらの整備をし直さなければならず、アップロード作業は技術が必要となる作業であったが、上述した実施形態によれば、ネットワークに接続されるさまざまな端末装置から一意にデータ受信装置にユーザデータを送信することができる。これにより、ユーザにかかる負荷を軽減させ、作業効率を向上させることができる。
【００７４】
また、図１の端末装置３におけるカードリーダライタ３１、制御部３２、ネットワーク通信部３３、データ受信装置４におけるネットワーク通信部４１、制御部４３の機能、図５のデータ受信装置４における制御部４３、カードリーダライタ４４の機能の機能を実現するためのプログラムをコンピュータ読み取り可能な記録媒体に記録して、この記録媒体に記録されたプログラムをコンピュータシステムに読み込ませ、実行することによりユーザデータの送信処理、ユーザデータを受信して記録する処理を行ってもよい。なお、ここでいう「コンピュータシステム」とは、ＯＳや周辺機器等のハードウェアを含むものとする。
【００７５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬型記録媒体、コンピュータシステムに内蔵されるハードディスク等の記録装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７６】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【図１】この発明の一実施形態によるデータ送受信システムの構成を示す概略ブロック図である。
【図２】メモリカードに記録される情報の一例を図２に示す。
【図３】図１の構成におけるデータ送受信システムの動作について説明するためのフローチャートである。
【図４】図１の構成におけるデータ送受信システムの動作について説明するためのシーケンス図である。
【図５】第２の実施形態におけるデータ送受信システムの構成について説明するための概略ブロック図である。
【図６】この認証キー情報に該当するフォルダ内に記録する一例を示す図面である。
【図７】第３の実施形態におけるデータ送受信システムの動作について説明するための図面である。
【図８】ユーザ識別情報を含んだメモリカードに記録される情報の一例を示す図面である。
【図９】ユーザ識別情報に基づいて、ユーザデータをフォルダに記録する場合について説明するための図面である。
【符号の説明】
１  メモリカード                      ３  端末装置
４  データ受信装置                    ３１  カードリーダライタ
３２、４３  制御部                    ３３、４１  ネットワーク通信部
４２  記録部                          ４４  カードリーダライタ
【図１】
2004303167.tif 000003
【図２】
2004303167.tif 000004
【図３】
2004303167.tif 000005
【図４】
2004303167.tif 000006
【図５】
2004303167.tif 000007
【図６】
2004303167.tif 000008
【図７】
2004303167.tif 000009
【図８】
2004303167.tif 000010
【図９】
2004303167.tif 000011